(57)【要約】【課題】本発明は、到着予想時刻に間に合うようにナビゲートし得る使い勝手の優れたナビゲーション装置及びルート案内方法を提案するようにする。【解決手段】本発明は、車両ＣＡ１に脱着可能な状態で搭載されるポータブルＮＶ装置１であって、衛星からの情報に基づいて車両ＣＡ１の現在位置を求め、現在位置を出発地として目的地までの到達経路を設定し、到達経路を介して車両ＣＡ１が走行したときの到着予想時刻を求め、ポータブルＮＶ装置１が車両ＣＡ１のクレードル４から取り外されたことを検出し、それを検出した地点から目的地までの残所要時間を推測し、到着予想時刻から残所要時間を減算することにより再出発予定時刻を求め、再出発予定時刻の所定時間前に現在時刻がなったことを認識した時点で再出発を促す所定の警告を発するようにする。【選択図】図３
2008281362.tif 000002
【特許請求の範囲】
【請求項１】
車両に対して着脱自在に搭載されるナビゲーション装置であって、
衛星からの情報に基づいて上記車両の現在位置を求める現在位置算出手段と、
上記車両の出発地から目的地までの到達経路を設定する経路設定手段と、
上記到達経路を介して上記車両が走行したときの到着予想時刻を求める到着予想時刻算出手段と、
上記ナビゲーション装置が上記車両から取り外されたことを検出する検出手段と、
上記検出手段により上記ナビゲーション装置が上記車両から取り外されたことを検出した上記車両の地点から上記目的地までの残所要時間を推測する残所要時間予測手段と、
上記到着予想時刻から上記残所要時間を減算することにより再出発予定時刻を求める再出発予定時刻算出手段と、
上記再出発予定時刻の所定時間前に現在時刻がなったことを認識した時点で再出発を促す所定の警告を発する警告発生手段と
を具えることを特徴とするナビゲーション装置。
【請求項２】
上記警告発生手段は、上記警告を発してから上記車両が再出発するまでに要する時間を考慮して上記所定時間前のタイミングを設定する
ことを特徴とする請求項１に記載のナビゲーション装置。
【請求項３】
上記警告発生手段は、上記現在位置算出手段によって求められた上記ナビゲーション装置を所持しているユーザの現在位置から上記車両までの距離に応じた時間を考慮して上記所定時間前のタイミングを設定する
ことを特徴とする請求項１に記載のナビゲーション装置。
【請求項４】
上記ナビゲーション装置は、
渋滞統計情報が格納された記憶手段と
を具え、
上記到着予想時刻算出手段は、上記渋滞統計情報を考慮したうえで上記到着予想時刻を求める
ことを特徴とする請求項１に記載のナビゲーション装置。
【請求項５】
上記ナビゲーション装置は、
外部から最新の渋滞情報を取得する渋滞情報取得手段と
を具え、
上記到着予想時刻算出手段は、上記最新の渋滞情報を取得する度に当該最新の渋滞情報を考慮して上記到着予想時刻を再計算し直す
ことを特徴とする請求項１に記載のナビゲーション装置。
【請求項６】
上記ナビゲーション装置は、
外部から最新の渋滞情報を取得する渋滞情報取得手段と
を具え、
上記到着予想時刻算出手段は、上記最新の渋滞情報を取得する度に当該最新の渋滞情報を考慮して上記到着予想時刻を再計算し直し、
上記警告発生手段は、上記警告することに加えて上記再計算し直した上記到着予想時刻を所定の表示部に表示する
ことを特徴とする請求項１に記載のナビゲーション装置。
【請求項７】
車両に対して着脱自在に搭載されるナビゲーション装置のルート案内方法であって、
衛星からの情報に基づいて上記車両の現在位置を現在位置算出手段によって求める現在位置算出ステップと、
上記車両の出発地から目的地までの到達経路を経路設定手段によって設定する経路設定ステップと、
上記到達経路を介して上記車両が走行したときの到着予想時刻を到着予想時刻算出手段によって求める到着予想時刻算出ステップと、
上記ナビゲーション装置が上記車両から取り外されたことを所定の検出手段によって検出する検出ステップと、
上記検出ステップにより上記ナビゲーション装置が上記車両から取り外されたことを検出した上記車両の地点から上記目的地までの残所要時間を残所要時間予測手段によって推定する残所要時間推定ステップ、
所定の再出発予定時刻算出手段により上記到着予想時刻から上記残所要時間を減算することにより再出発予定時刻を求める再出発予定時刻算出ステップと、
上記再出発予定時刻の所定時間前に現在時刻がなったことを認識した時点で警告発生手段により再出発を促す所定の警告を発する警告発生ステップと
を具えることを特徴とするルート案内方法。
【請求項８】
ナビゲーション装置であって、
衛星からの情報に基づいて上記車両の現在位置を求める現在位置算出手段と、
上記車両の出発地から目的地までの到達経路を設定する経路設定手段と、
上記到達経路を介して上記車両が走行したときの到着予想時刻を求める到着予想時刻算出手段と、
上記現在位置算出手段によって上記車両が同じ位置に所定時間以上停止していることを検出した場合にユーザが当該車両から離れていると認識する認識手段と、
上記認識手段により上記ユーザが上記車両から離れていることを検出した上記車両の地点から上記目的地までの残所要時間を推測する残所要時間予測手段と、
上記到着予想時刻から上記残所要時間を減算することにより再出発予定時刻を求める再出発予定時刻算出手段と、
上記再出発予定時刻の所定時間前に現在時刻がなったことを認識した時点で再出発を促す所定の警告を上記ユーザが所有する通信機器に対して発する警告発生手段と
を具えることを特徴とするナビゲーション装置。
【請求項９】
ナビゲーション装置のルート案内方法であって、
衛星からの情報に基づいて車両の現在位置を現在位置算出手段によって求める現在位置算出ステップと、
上記車両の出発地から目的地までの到達経路を経路設定手段によって設定する経路設定ステップと、
上記到達経路を介して上記車両が走行したときの到着予想時刻を到着予想時刻算出手によって求める到着予想時刻算出ステップと、
上記現在位置算出ステップで上記車両が同じ位置に所定時間以上停止していることを検出した場合にユーザが当該車両から離れていると認識手段によって認識する認識ステップと、
上記認識ステップで上記ユーザが上記車両から離れていることを検出した上記車両の地点から上記目的地までの残所要時間を残所要時間予測手段によって推測する残所要時間予測ステップと、
所定の再出発予定時刻算出手段によって上記到着予想時刻から上記残所要時間を減算することにより再出発予定時刻を求める再出発予定時刻算出ステップと、
上記再出発予定時刻の所定時間前に現在時刻がなったことを認識した時点で所定の警告手段により再出発を促す所定の警告を上記ユーザが所有する通信機器に対して発する警告ステップと
を具えることを特徴とするルート案内方法。
【発明の詳細な説明】
【技術分野】
【０００１】
本発明は、ナビゲーション装置及びルート案内方法に関し、例えばポータブルナビゲーション装置（以下、これをポータブルＮＶ装置と呼ぶ）に適用して好適なものである。
【背景技術】
【０００２】
従来、ポータブルＮＶ装置においては、カーナビゲーションとして使用される場合、車内空間の所定位置にクレードルを介して設置される一方、パーソナルナビゲーションとして使用される場合には、そのクレードルから取り外され、ユーザによって持ち運びながら用いられるようになされている。
【０００３】
一方、主制御部が案内経路途中の休憩場所において休憩の意思がユーザにあると判定した場合、この主制御部は休憩しないでそのまま目的地へ向かう場合の到着予想時刻、３０分休憩した後に目的地へ向かう場合の到着予想時刻、６０分休憩した後に目的地へ向かう場合の到着予想時刻をそれぞれ演算し、その各到着予想時刻を表示部に表示するようになされたナビゲーション装置がある（例えば、特許文献１参照）。
【特許文献１】特開2006-71500公報
【発明の開示】
【発明が解決しようとする課題】
【０００４】
ところで上述した、かかる構成のポータブルＮＶ装置においては、ユーザにより目的地が設定されたことに応じて到着予想時刻を提示することができるようになされているが、道路の混雑状況が曜日、時間帯等によって大きく変化し、タイミングによっては到着予想時刻も大きく変化してしまうため、交通情報や渋滞統計情報等を考慮して到着予想時刻を調整するようになされている。
【０００５】
このとき、その到着予想時刻がユーザの到着目標時刻よりも早い場合、当該ユーザは途中で寄り道することが考えられる。例えば、ユーザの到着目標時刻よりもナビゲーション装置が提示する到着予想時刻が１時間早い場合、ユーザは約１時間程度の休憩を取るという判断をする可能性がある。
【０００６】
しかしながら実際には、１時間もの休憩をユーザが取っている間に交通状況が変化すると、ポータタブルＮＶ装置が先程提示した到着予想時刻が意味のないものとなってしまい、実際の到着が大幅に遅れてしまいかねないという問題があった。
【０００７】
また、特許文献１に示したナビゲーション装置においても、３０分休憩した後に目的地へ向かう場合の到着予想時刻、６０分休憩した後に目的地へ向かう場合の到着予想時刻をそれぞれ演算し、その各到着予想時刻を表示部に表示することができるものの、ユーザが車両から離れた休憩中に道路状況が変化して到着予想時刻を過ぎてしまうような事態になったときには、ユーザにそれを知らせることが出来ず、先程と同様に到着予想時刻が意味のないものとなってしまう問題があった。
【０００８】
本発明は以上の点を考慮してなされたもので、到着予想時刻に間に合うようにユーザをナビゲートし得る使い勝手の優れたナビゲーション装置及びルート案内方法を提案しようとするものである。
【課題を解決するための手段】
【０００９】
かかる課題を解決するため本発明においては、車両に対して着脱自在に搭載されるナビゲーション装置であって、衛星からの情報に基づいて車両の現在位置を求める現在位置算出手段と、車両の出発地から目的地までの到達経路を設定する経路設定手段と、到達経路を介して車両が走行したときの到着予想時刻を求める到着予想時刻算出手段と、ナビゲーション装置が車両から取り外されたことを検出する検出手段と、当該検出手段によりナビゲーション装置が車両から取り外されたことを検出した車両の地点から目的地までの残所要時間を推測する残所要時間予測手段と、到着予想時刻から残所要時間を減算することにより再出発予定時刻を求める再出発予定時刻算出手段と、再出発予定時刻の所定時間前に現在時刻がなったことを認識した時点で再出発を促す所定の警告を発する警告発生手段とを設けるようにする。
【００１０】
これにより、ナビゲーション装置が車両から取り外された状態であっても、到着予想時刻から逆算した再出発予定時刻を求め、その所定時間前に再出発を促す警告を発することができるので、到着予想時刻に間に合うようユーザを確実にナビゲートすることができる。
【００１１】
また本発明においては、ナビゲーション装置であって、衛星からの情報に基づいて上記車両の現在位置を求める現在位置算出手段と、車両の出発地から目的地までの到達経路を設定する経路設定手段と、到達経路を介して車両が走行したときの到着予想時刻を求める到着予想時刻算出手段と、現在位置算出手段によって車両が同じ位置に所定時間以上停止していることを検出した場合にユーザが当該車両から離れていると認識する認識手段と、当該認識手段によりユーザが車両から離れていることを検出した車両の地点から目的地までの残所要時間を推測する残所要時間予測手段と、到着予想時刻から残所要時間を減算することにより再出発予定時刻を求める再出発予定時刻算出手段と、再出発予定時刻の所定時間前に現在時刻がなったことを認識した時点で再出発を促す所定の警告をユーザが所有する通信機器に対して発する警告発生手段とを設けるようにする。
【００１２】
これにより、ナビゲーション装置が設置されている車両からユーザが離れている場合であっても、到着予想時刻から逆算した再出発予定時刻を求め、その所定時間前に再出発を促す警告をユーザが所持する通信機器を介して発することができるので、到着予想時刻に間に合うようユーザを確実にナビゲートすることができる。
【発明の効果】
【００１３】
本発明によれば、ナビゲーション装置が車両から取り外された状態であっても、到着予想時刻から逆算した再出発予定時刻を求め、その所定時間前に再出発を促す警告を発することができるので、到着予想時刻に間に合うようユーザを確実にナビゲートすることができ、かくして到着予想時刻に間に合うようにユーザをナビゲートし得る使い勝手の優れたナビゲーション装置及びルート案内方法を実現することができる。
【００１４】
また本発明によれば、ナビゲーション装置が設置されている車両からユーザが離れている場合であっても、到着予想時刻から逆算した再出発予定時刻を求め、その所定時間前に再出発を促す警告をユーザが所持する通信機器に対して発することができるので、到着予想時刻に間に合うようユーザを確実にナビゲートすることができ、かくして到着予想時刻に間に合うようにユーザをナビゲートし得る使い勝手の優れたナビゲーション装置及びルート案内方法を実現することができる。
【発明を実施するための最良の形態】
【００１５】
以下、図面について、本発明の一実施の形態を詳述する。
【００１６】
（１）第１の実施の形態
（１−１）第１の実施の形態におけるポータブルＮＶ装置の外観構成
図１において、１は全体として第１の実施の形態におけるポータブルＮＶ装置を示し、携帯型で持ち運び可能な主に車内に持ち込まれ、クレードル４に設置された状態で用いられるものである。
【００１７】
ポータブルＮＶ装置１は、クレードル４に対して矩形状の本体部２が着脱自在に取付けられ、当該本体部２における前面に設けられたモニター３に対して、本体部２に内蔵された不揮発性メモリやハードディスク等に格納されている地図データに基づいて地図画面等を表示し得るようになされている。
【００１８】
（１−２）ポータブルＮＶ装置の回路構成
図２に示すように、ポータブルＮＶ装置１はバッテリ２９から供給される電力によって動作し、ＣＰＵ(Central Processing Unit)構成でなる制御部２０が全体を統括制御すると共に、不揮発性メモリ２１に格納された基本プログラムや各種アプリケーションプログラムを読み出してＲＡＭ(Random Access Memory)２２上で実行することにより、通常のナビゲーション機能及び後述する警告機能を実現するようになされている。
【００１９】
このポータブルＮＶ装置１は、不揮発性メモリ２１に全国の地図を示す地図データが記憶されていると共に、各種施設などの関心地点を表すＰＯＩ(Point Of Interest)データが地図上の位置に対応付けられた状態で予め記憶されている。
【００２０】
またポータブルＮＶ装置１は、ＧＰＳ(Global Positioning System)衛星からの電波をＧＰＳユニット２３によって受信することにより、緯度、経度及び高度等からなるＧＰＳ情報を常時算出するようになされており、その結果得られたＧＰＳ情報を制御部２０へ送出する。
【００２１】
ポータブルＮＶ装置１の制御部２０は、ＧＰＳユニット２３から供給されたＧＰＳ情報と不揮発性メモリ２１に記憶されている地図データとを比較することにより、現時点でポータブルＮＶ装置１が存在する位置（すなわち、ポータブルＮＶ装置１が搭載された車両が存在する自車位置）を含む所定範囲の地図データを読み出し、その地図データに応じて自車位置とその周辺とを表す所定倍率の地図画像をモニター３のＬＣＤ(Liquid Crystal Display)２４に表示するようになされている。
【００２２】
またポータブルＮＶ装置１の制御部２０は、モニター３のＬＣＤ２４の表面に設けられたタッチパネル２５に対するユーザ操作に応じて、目的地としてＰＯＩデータが任意に選択された場合、車両の自車位置を出発地として、当該出発地からＰＯＩデータに対応した目的地までの到達経路等を探索し、その到達経路を表した地図画像をＬＣＤ２４に表示し得るようになされている。
【００２３】
このときポータブルＮＶ装置１の制御部２０は、到達経路を表した地図画像をＬＣＤ２４に表示すると共に、音声処理部２６を介して車両が到達経路に従って目的地まで走行する間、ユーザの運転を誘導及び補助（以下、これらをナビゲートと呼ぶ）するための音声情報を生成し、その音声情報に応じたナビゲート音声をスピーカ２７から出力する。
【００２４】
このようにしてポータブルＮＶ装置１では、ユーザ所望の目的地まで車両をナビゲートするナビゲーション機能を提供し得るようになされている。
【００２５】
またポータブルＮＶ装置１は、例えばIEEE(Institute of Electrical and Electronics Engineers)802.11系やBluetooth（登録商標）等の無線通信ユニット２８を有しており、屋外に設置された無線アクセスポイントと無線通信を行い、当該無線アクセスポイントを介して所定のサーバとアクセスすることにより各種データ通信を実現し得るようになされている。
【００２６】
なおポータブルＮＶ装置１は、本体部２がクレードル４に設置された場合、制御部２０が当該クレードル４と電気的に接続されたことを検出する一方、クレードル４から取り外されたときは当該クレードル４と電気的な接続が断たれたことを検出し、ポータブルＮＶ装置１が車両から外部へ持ち出されたと認識し得るようになされている。
【００２７】
（１−３）ポータブルＮＶ装置を所持して車両から離れたユーザに対する警告処理の原理
図３には、第１の実施の形態におけるユーザに対する警告処理の原理を説明するための概念図を示し、ユーザＵ１が所持する車両ＣＡ１のクレードル４にポータブルＮＶ装置１が設置された状態で、出発地（図示せず）から目的地として選択された目的地アイコンＰＯＡ１の位置までの到達経路上を自車アイコンＰ１によって表された車両ＣＡ１が走行し、立寄地として選択された立寄地アイコンＰＯＡ２のレストランに車両ＣＡ１が到着し、ユーザが盗難防止のためにポータブルＮＶ装置１をクレードル４から取り外して所持したままレストランで休憩している状況を想定する。
【００２８】
このときポータブルＮＶ装置１の制御部２０は、モニター３のＬＣＤ２４に表示した地図上に目的地までの到達経路を表示すると共に、目的地に到着するであろう到着予想時刻をモニター３のＬＣＤ２４に表示している。
【００２９】
これによりユーザＵ１は、ユーザ自身が目的地に到着したいと考える到着希望時刻と、ＬＣＤ２４に表示された到着予想時刻とを比較し、立寄地アイコンＰＯＡ２のレストランでどれ位の時間だけ休憩することが出来るのかを判断し得るようになされている。
【００３０】
しかしながらユーザＵ１は、レストランで休憩中に、自身で考えていた再出発時刻を忘れたり、ユーザＵ１が再出発時刻に気付かないような事態が起きた場合、到着予想時刻に対して大幅に遅れて到着してしまうことにもなりかねない。
【００３１】
そこでポータブルＮＶ装置１の制御部２０は、当該ポータブルＮＶ装置１がクレードル４から取り外されたことを検出すると、ユーザＵ１がポータブルＮＶ装置１を所持した状態で休憩をしていると判断し、その車両ＣＡ１が位置する地点から目的地までの残所要時間を推測し、到着予想時刻から残所要時間を減算することにより再出発予定時刻を求め、その再出発予定時刻の所定時間前（例えば１０分前）に現在時刻がなったことを認識した時点で再出発を促す所定の警告を発することにより、ユーザＵ１に対して到着予想時刻に間に合わすための注意を促すようになされている。
【００３２】
ここで、再出発予定時刻の所定時間前（例えば１０分前）に警告を発するようにしたのは、ユーザＵ１が警告を受けてから直ちに再出発できるものではなく、レストランで支払いを済ませる時間、トイレに寄る時間及び車両ＣＡ１に戻るまでの時間等を考慮したマージンを約１０分間として設定したことによるものであって、この時間は任意にユーザＵ１が制御部２０に対して設定することができるようになされている。
【００３３】
このような第１の実施の形態におけるポータブルＮＶ装置１のユーザＵ１に対する再出発の警告を促す一連の処理の流れを、図４のフローチャートを用いて改めて説明する。
【００３４】
（１−４）第１の実施の形態における警告処理手順
図４に示すように、ポータブルＮＶ装置１の制御部２０は、不揮発性メモリ２１に格納されたアプリケーションプログラムである警告処理プログラムに従い、ルーチンＲＴ１の開始ステップから入って次のステップＳＰ１へ移り、ユーザＵ１によって選択されたＰＯＩデータの目的地までの到達経路を探索し、そのとき求めた到着予想時刻を到達経路と共にＬＣＤ２４に表示し、次のステップＳＰ２へ移る。
【００３５】
ステップＳＰ２においてポータブルＮＶ装置１の制御部２０は、ステップＳＰ１で探索した到達経路に沿って車両ＣＡ１に対するナビゲーション動作を開始し、次のステップＳＰ３へ移る。
【００３６】
ステップＳＰ３においてポータブルＮＶ装置１の制御部２０は、当該ポータブルＮＶ装置１の本体部２がクレードル４から取り外されたか否かを判定する。ここで否定結果が得られると、このことは本体部２がクレードル４に設置されたままであり、取り外されてはいないことを表しており、このときポータブルＮＶ装置１の制御部２０はステップＳＰ２へ戻ってナビゲーション動作を継続する。
【００３７】
これに対してステップＳＰ３で肯定結果が得られると、このことは本体部２がクレードル４から取り外されたこと、すなわちユーザがポータブルＮＶ装置１を所持した状態で休憩していると判断し、このときポータブルＮＶ装置１の制御部２０は次のステップＳＰ４へ移る。
【００３８】
ステップＳＰ４においてポータブルＮＶ装置１の制御部２０は、本体部２がクレードル４から取り外され、車両から電力の供給を受けることができなくなるため、本体部２の電源をパワーオフすると共にタイマーをセットし、定期的（例えば１５分間隔）に起動するように制御し、次のステップＳＰ５へ移る。
【００３９】
ステップＳＰ５においてポータブルＮＶ装置１の制御部２０は、パワーオフした状態から定期的に起動し、近隣の無線通信ユニット２８を介して所定のサーバにアクセスし、そこから渋滞等に関する最新の交通情報を取得し、ステップＳＰ１で求めた到着予想時刻を最新の交通情報を考慮して再計算し、この再計算した到着予想時刻をモニター３のＬＣＤ２４に表示し、次のステップＳＰ６へ移る。
【００４０】
ステップＳＰ６においてポータブルＮＶ装置１の制御部２０は、本体部２がクレードル４から取り外された時点の車両ＣＡ１の現在位置である地点から目的地までの残所要時間を推測し、次のステップＳＰ７へ移る。
【００４１】
ステップＳＰ７においてポータブルＮＶ装置１の制御部２０は、ステップＳＰ６で再計算した到着予想時刻から、ステップＳＰ７で推測した残所要時間を減算することにより再出発予定時刻を求め、次のステップＳＰ８へ移る。
【００４２】
ステップＳＰ８においてポータブルＮＶ装置１の制御部２０は、現在時刻が再出発予定時刻の所定時間前（例えば１０分前）になったか否かを判定し、否定結果が得られると、再度ステップＳＰ５へ戻って上述した処理を繰り返す。
【００４３】
これに対してステップＳＰ８で肯定結果が得られると、このことは現在時刻が再出発予定時刻の所定時間前（例えば１０分前）になったこと、すなわちユーザＵ１に対して直ちに再出発することを促す必要があることを表しており、このときポータブルＮＶ装置１の制御部２０は次のステップＳＰ９へ移る。
【００４４】
ステップＳＰ９においてポータブルＮＶ装置１の制御部２０は、音声処理部２６を介して所定の警告音をスピーカ２７から出力したり、或いはモニター３のＬＣＤ２４に例えば「至急、出発して下さい！」等の文字を表示する等の警告をユーザＵ１に対して行い、次のステップＳＰ１０へ移って処理を終了する。
【００４５】
因みにポータブルＮＶ装置１の制御部２０は、スピーカ２７から警告音を出力すると共に、ＬＣＤ２４に「至急、出発して下さい！」等の文字を表示したり、或いは本体部２をバイブレータ機能によって振動させるようにしても良く、要は確実にユーザＵ１に対して再出発を促すことができる警告を行うようになされている。
【００４６】
（１−５）第１の実施の形態における動作及び効果
以上の構成において、ポータブルＮＶ装置１の制御部２０は、クレードル４から本体部２が取り外されたことを検出すると、それはユーザＵ１が休憩のために当該ポータブルＮＶ装置１を所持した状態で車両ＣＡ１から離れたと解釈し、電源を一旦パワーオフし、１５分間隔で定期的に起動させ、その起動した時点における最新の交通情報を取得し、その交通情報を考慮して到着予想時刻を再計算する。
【００４７】
そしてポータブルＮＶ装置１の制御部２０は、車両ＣＡ１の現在位置である地点から目的地までの残所要時間を推測し、再計算した到着予想時刻から残所要時間を減算することにより求めた再出発予定時刻の所定時間前（例えば１０分前）に現在時刻がなった時点で、車両ＣＡ１から離れているユーザＵ１に対して警告を発することにより再出発を促し、直ちに再出発すれば到着予想時刻に間に合うように到着できることを認識させることができる。
【００４８】
なお、ポータブルＮＶ装置１の制御部２０は、クレードル４から取り外されて電源をパワーオフした後、定期的（１５分間隔毎）に起動する度に最新の交通情報を取得し、到着予想時刻を再計算し直すことになるため、その１５分間で渋滞状況が変化し、再計算した到着予想時刻が当初の到着予想時刻から多少遅れるとしても、休憩に要した最小限のロスタイムだけで、再計算後の到着予想時刻には確実に間に合うようユーザをナビゲートすることができる。
【００４９】
特にポータブルＮＶ装置１は、車両ＣＡ１から取り外してユーザＵ１が持ち運び自在な構成を有し、ユーザＵ１の身近に所持されていることにより、警告を介してユーザＵ１に再出発を容易に促すことができる。
【００５０】
以上の構成によれば、ポータブルＮＶ装置１の制御部２０は、車両ＣＡ１に設置されたクレードル４から本体部２が取り外されてユーザＵ１が休憩中であると解釈した場合であっても、到着予想時刻に間に合うように警告することができるので、ユーザＵ１を到着予想時刻に間に合わせるタイミングで再出発させるよう促すことができる。
【００５１】
（２）第２の実施の形態
（２−１）第２の実施の形態におけるポータブルＮＶ装置の外観構成及び回路構成
第２の実施の形態におけるポータブルＮＶ装置の外観構成及び回路構成としては、上述した第１の実施の形態におけるポータブルＮＶ装置１（図１及び図２）と同じであるため、ここでは便宜上その説明を省略する。
【００５２】
（２−２）ポータブルＮＶ装置を所持せず車両から離れたユーザに対する警告処理の原理
図５には、第２の実施の形態におけるユーザに対する警告処理の原理を説明するための概念図を示し、ユーザＵ１が所持する車両ＣＡ１のクレードル４にポータブルＮＶ装置１が設置された状態で、出発地（図示せず）から目的地として選択された目的地アイコンＰＯＡ１の位置までの到達経路上を自車アイコンＰ１によって表される車両ＣＡ１が走行し、立寄地として選択された立寄地アイコンＰＯＡ２のレストランに車両ＣＡ１が到着し、ポータブルＮＶ装置１をクレードル４に装着したままユーザＵ１が所持することなくレストランで休憩している状況を想定する。
【００５３】
このときポータブルＮＶ装置１の制御部２０は、モニター３のＬＣＤ２４に表示した地図上に目的地までの到達経路を表示すると共に、目的地に到着するであろう到着予想時刻をモニター３のＬＣＤ２４に表示している。
【００５４】
これによりユーザＵ１は、ユーザＵ１自身が目的地に到着したいと考える到着希望時刻と、ＬＣＤ２４に表示された到着予想時刻とを比較し、立寄地アイコンＰＯＡ２のレストランでどれ位の時間だけ休憩することが出来るのかを判断し得るようになされている。
【００５５】
しかしながらユーザＵ１は、レストランで休憩中に、再出発時刻を忘れたり、ユーザＵ１が再出発時刻に気付かないような事態が起こったときには、到着予想時刻に遅れて到着してしまうことにもなりかねない。
【００５６】
そこでポータブルＮＶ装置１の制御部２０は、本体部２がクレードル４に設置されたままであったとしても、停止状態で所定時間以上経過したことを検出した場合、ユーザＵ１がポータブルＮＶ装置１を所持することなく、車両ＣＡ１から離れて休憩をしていると判断するようになされている。
【００５７】
そしてポータブルＮＶ装置１の制御部２０は、車両ＣＡ１の現在位置である地点から目的地までの残所要時間を推測し、到着予想時刻から残所要時間を減算することにより再出発予定時刻を求め、その再出発予定時刻の所定時間前（例えば１０分前）に現在時刻がなったことを認識した時点で再出発を促す所定の警告（警告メール、警告音等）を、ユーザＵ１が所持している携帯電話機ＫＰ１へ無線通信ユニット２８を介して発することにより、ユーザＵ１に対して到着予想時刻に間に合わすための再出発を促すようになされている。
【００５８】
この場合も、再出発予定時刻の所定時間前（例えば１０分前）に警告を発するようにしたのは、ユーザＵ１が警告を受けてから直ちに再出発できるものではなく、レストランで支払いを済ませる時間、トイレに寄る時間及び車両ＣＡ１に戻るまでの時間等を考慮したマージンを約１０分間として設定したことによるものであって、この時間は任意にユーザＵ１が制御部２０に対して設定することができるようになされている。
【００５９】
このような第２の実施の形態におけるポータブルＮＶ装置１のユーザＵ１に対する再出発の警告を促す一連の処理の流れを、図６のフローチャートを用いて改めて説明する。
【００６０】
（２−３）第２の実施の形態における警告処理手順
図６に示すように、ポータブルＮＶ装置１の制御部２０は、不揮発性メモリ２１に格納されたアプリケーションプログラムである警告処理プログラムに従い、ルーチンＲＴ２の開始ステップから入って次のステップＳＰ２１へ移り、ユーザＵ１によって選択されたＰＯＩデータの目的地までの到達経路を探索し、そのとき求めた到着予想時刻を到達経路と共にＬＣＤ２４に表示し、次のステップＳＰ２２へ移る。
【００６１】
ステップＳＰ２２においてポータブルＮＶ装置１の制御部２０は、ステップＳＰ２１で探索した到達経路に沿って車両ＣＡ１に対するナビゲーション動作を開始し、次のステップＳＰ２３へ移る。
【００６２】
ステップＳＰ２３においてポータブルＮＶ装置１の制御部２０は、車両ＣＡ１が停止したことをＧＰＳユニット２３から供給されるＧＰＳ情報に基づいて判断し、その停止状態で所定時間以上経過したか否かを判定する。
【００６３】
ここで否定結果が得られると、このことは車両ＣＡ１が停止状態で所定時間以上経過しておらず、すなわちユーザＵ１が休憩に入った訳ではなく、信号待ちか、渋滞により停止しているような状況にあることを表しており、このときポータブルＮＶ装置１の制御部２０は、ステップＳＰ２２へ戻ってナビゲーション動作を継続する。
【００６４】
これに対してステップＳＰ２３で肯定結果が得られると、このことは両ＣＡ１が停止状態で所定時間以上経過しており、すなわちユーザＵ１がポータブルＮＶ装置１を所持することなく休憩に入ったと認識し、このときポータブルＮＶ装置１の制御部２０は次のステップＳＰ２４へ移る。
【００６５】
ステップＳＰ２４においてポータブルＮＶ装置１の制御部２０は、本体部２の電源をパワーオフすると共にタイマーをセットし、定期的（例えば１５分間隔）に起動するように制御し、次のステップＳＰ２５へ移る。
【００６６】
ステップＳＰ２５においてポータブルＮＶ装置１の制御部２０は、パワーオフした状態から定期的に起動し、そのとき近隣の無線通信ユニット２８を介して所定のサーバにアクセスし、そこから渋滞等に関する最新の交通情報を取得し、ステップＳＰ２１で求めた到着予想時刻を最新の交通情報を考慮して再計算し、次のステップＳＰ２６へ移る。
【００６７】
ステップＳＰ２６においてポータブルＮＶ装置１の制御部２０は、ユーザＵ１が休憩に入ったと認識したときの現在位置である地点から目的地までの残所要時間を推測し、次のステップＳＰ２７へ移る。
【００６８】
ステップＳＰ２７においてポータブルＮＶ装置１の制御部２０は、ステップＳＰ２６で再計算した到着予想時刻から、ステップＳＰ２７で推測した残所要時間を減算することにより再出発予定時刻を求め、次のステップＳＰ２８へ移る。
【００６９】
ステップＳＰ２８においてポータブルＮＶ装置１の制御部２０は、現在時刻が再出発予定時刻の所定時間前（例えば１０分前）になったか否かを判定し、否定結果が得られると、再度ステップＳＰ２５へ戻って上述した処理を繰り返す。
【００７０】
これに対してステップＳＰ２８で肯定結果が得られると、このことは現在時刻が再出発予定時刻の所定時間前（例えば１０分前）になったこと、すなわちユーザＵ１に対して直ちに再出発することを促す必要があることを表しており、このときポータブルＮＶ装置１の制御部２０は次のステップＳＰ２９へ移る。
【００７１】
ステップＳＰ２９においてポータブルＮＶ装置１の制御部２０は、無線通信ユニット２８を介してユーザＵ１が所持している例えば携帯電話機ＫＰ１へ所定の警告（警告メール、警告音等）を発することにより、ユーザＵ１に対して到着予想時刻に間に合わすための注意を促し、次のステップＳＰ３０へ移って処理を終了する。
【００７２】
因みにポータブルＮＶ装置１の制御部２０は、無線通信ユニット２８を介してユーザＵ１が所持している例えば携帯電話機ＫＰ１へ警告メールを送信する場合には、ステップＳＰ２６で再計算した到着予想時刻についても警告メールによって通知することにより、ユーザＵ１に対して直ちに出発しなければならないことを強く印象付けることができるようになされている。
【００７３】
（２−４）第２の実施の形態における動作及び効果
以上の構成において、ポータブルＮＶ装置１の制御部２０は、車両ＣＡ１が所定時間以上停止中であることを検出すると、それはユーザＵ１が休憩のために当該ポータブルＮＶ装置１を所持することなく車両ＣＡ１から離れて休憩に入ったと解釈し、電源を一旦パワーオフし、１５分間隔で定期的に起動させ、その起動した時点における最新の交通情報を取得し、その交通情報を考慮した到着予想時刻を再計算する。
【００７４】
そしてポータブルＮＶ装置１の制御部２０は、車両ＣＡ１の現在位置から目的地までの残所要時間を推測し、再計算した到着予想時刻から残所要時間を減算することにより求めた再出発予定時刻の所定時間前（例えば１０分前）に現在時刻がなった時点で、車両ＣＡ１から離れているユーザＵ１の携帯電話機ＫＰ１を介して警告を発することにより再出発を促し、直ちに再出発すれば到着予想時刻に間に合うように到着できることを認識させることができる。
【００７５】
なお、ポータブルＮＶ装置１の制御部２０は、電源をパワーオフした後、定期的（１５分間隔毎）に起動する度に最新の交通情報を取得し、到着予想時刻を再計算し直すことになるため、その１５分間で渋滞状況が変化し、再計算した到着予想時刻が当初の到着予想時刻よりも多少遅れるとしても、休憩に要した最小限のロスタイムだけで、再計算後の到着予想時刻には確実に間に合うようユーザをナビゲートすることができる。
【００７６】
特にポータブルＮＶ装置１は、本体部２が車両ＣＡ１から取り外されてユーザＵ１が持ち運び自在な構成を有するものの、休憩に入る際に所持することを忘れ、車両ＣＡ１のクレードル４に設置したまま放置したとしても、ユーザＵ１が必ず所持しているであろう携帯電話機ＫＰ１を介して警告を発することが出来るので、ユーザＵ１に対して再出発を確実に促すことができる。
【００７７】
以上の構成によれば、ポータブルＮＶ装置１の制御部２０は、車両ＣＡ１が所定時間以上停車中であることを検出することにより、ユーザＵ１がポータブルＮＶ装置１を所持することなく休憩中であると解釈した場合、到着予想時刻に間に合うように携帯電話機ＫＰ１を介して警告することができるので、ユーザＵ１を到着予想時刻に間に合わせるタイミングで再出発させるよう確実に促すことができる。
【００７８】
（３）他の実施の形態
なお上述の第１の実施の形態においては、ポータブルＮＶ装置１の本体部２がクレードル４から取り外されたことを制御部２０が検出することにより、ユーザＵ１が休憩に入ったと認識するようにした場合について述べたが、本発明はこれに限らず、エンジンが停止したことや、車両ＣＡ１のアクセサリ電源がオフにされたことを検出することにより、ユーザＵ１が休憩に入ったと認識するようにしても良い。
【００７９】
また上述の第１及び第２の実施の形態においては、ポータブルＮＶ装置１の制御部２０が無線通信ユニット２８を介してサーバとアクセスすることによりインターネット経由で最新の交通情報を取得するようにした場合について述べたが、本発明はこれに限らず、専用の受信ユニットを搭載することによって、ＦＭ放送波、光ビーコン又は電波ビーコン等によって最新の交通情報を取得するようにしても良い。
【００８０】
さらに上述の第１の実施の形態においては、クレードル４から取り外されたポータブルＮＶ装置１の電源をパワーオフし、定期的に起動することにより、無駄な電力消費を抑えつつ最新の交通情報を取得し、到着予想時刻を再計算することにより、再出発を促す警告を発するようにした場合について述べたが、本発明はこれに限らず、クレードル４から本体部２が取り外された車両ＣＡ１の地点と、ユーザが現在位置する地点との距離をＧＰＳユニット２３により求め、ユーザＵ１が車両ＣＡ１の地点まで移動するのに要する移動時間をマージンとして設定し、到着予想時刻よりも所定時間前（この場合、その移動時間前）に現在時刻がなった時点でポータブルＮＶ装置１の制御部２０が警告を発するようにしても良い。
【００８１】
この場合、ポータブルＮＶ装置１の制御部２０は、ユーザＵ１が車両ＣＡ１から離れている距離に相当する移動時間を予め考慮したタイミングで警告を発することが出来るので、このときも到着予想時刻に間に合うようユーザに再出発を促すことが出来る。
【００８２】
さらに上述の第１及び第２の実施の形態においては、無線通信ユニット２８を介して最新の交通情報を取得するようにした場合について述べたが、本発明はこれに限らず、予め不揮発性メモリ２１に格納しておいた統計的な渋滞情報を適宜読み出すことにより取得するようにしても良い。
【００８３】
さらに上述の第２の実施の形態においては、車両ＣＡ１から着脱自在なポータブルＮＶ装置１を用いるようにした場合について述べたが、本発明はこれに限らず、車両ＣＡ１に固定されるタイプのナビゲーション装置を用いるようにしても良い。
【００８４】
さらに上述の第１及び第２の実施の形態においては、ポータブルＮＶ装置２の制御部２０が不揮発性メモリ２１に格納されている警告処理プログラムに従い、上述したルーチンＲＴ１及びルーチンＲＴ２の警告処理手順を実行するようにした場合について述べたが、本発明はこれに限らず、記録媒体からインストールした警告処理プログラムや、インターネットからダウンロードした警告処理プログラム、その他種々のルートによってインストールした警告処理プログラムに従って上述した警告処理手順を実行するようにしても良い。
【００８５】
さらに上述の第１及び第２の実施の形態においては、現在位置算出手段としてのＧＰＳユニット２３、経路設定手段、到着予想時刻算出手段、検出手段、認識手段、残所要時間予測手段、再出発予定時刻算出手段及び警告発生手段としての制御部２０によって本発明のナビゲーション装置としてのポータブルＮＶ装置１を構成するようにした場合について述べたが、本発明はこれに限らず、その他種々の回路構成でなる現在位置算出手段、経路設定手段、到着予想時刻算出手段、検出手段、認識手段、残所要時間予測手段、再出発予定時刻算出手段及び警告発生手段によって本発明のナビゲーション装置を構成するようにしても良い。
【産業上の利用可能性】
【００８６】
本発明のナビゲーション装置及びルート案内方法は、例えばポータブルＮＶ装置以外にも、ナビゲーション機能を搭載したノートブック型パーソナルコンピュータ、ナビゲーション機能を搭載したゲーム機、ナビゲーション機能を搭載した携帯電話機等のその他種々のモバイル機器に適用することができる。
【図面の簡単な説明】
【００８７】
【図１】第１の実施の形態におけるポータブルＮＶ装置の外観構成を示す略線的斜視図である。
【図２】第１の実施の形態におけるポータブルＮＶ装置の回路構成を示す略線的ブロック図である。
【図３】第１の実施の形態における車両から離れて休憩中のポータブルＮＶ装置を所持しているユーザに対する警告の原理を説明するための略線図である。
【図４】第１の実施の形態におけるポータブルＮＶ装置を所持しているユーザに対する警告処理手順を示すフローチャートである。
【図５】第２の実施の形態における車両から離れて休憩中のポータブルＮＶ装置を所持していないユーザに対する警告の原理を説明するための略線図である。
【図６】第２の実施の形態におけるポータブルＮＶ装置から離れたユーザに対する警告処理手順を示すフローチャートである。
【符号の説明】
【００８８】
１……ポータブルＮＶ装置、２……本体部、３……モニター、４……クレードル、２０……制御部、２１……不揮発性メモリ、２２……ＲＡＭ、２３……ＧＰＳユニット、２４……ＬＣＤ、２５……タッチパネル、２６……音声処理部、２７……スピーカ、２８……無線通信ユニット、２９……バッテリ、ＣＡ１……車両、ＫＰ１……携帯電話機。
【図１】
2008281362.tif 000003
【図２】
2008281362.tif 000004
【図３】
2008281362.tif 000005
【図４】
2008281362.tif 000006
【図５】
2008281362.tif 000007
【図６】
2008281362.tif 000008